【手続補正書】
【提出日】平成25年8月29日(2013.8.29)
【手続補正１】
【補正対象書類名】明細書
【補正対象項目名】００１０
【補正方法】変更
【補正の内容】
【００１０】
すなわち、本発明の第１の形態は、色材を含有し互いに色が異なる複数種類の有色インクと、前記有色インクによって記録媒体に記録された画像の光沢度と写像性の少なくとも一方を変化させる画質向上液とを吐出する記録ヘッドを備え、前記記録ヘッドは、記録媒体の単位領域に対して複数回走査して前記記録媒体に画像の記録を行うと共に、前記画像に前記画質向上液を付与するインクジェット記録装置であって、前記単位領域における記録に使用される有色インクの種類の数に従って複数回の走査それぞれにおいて前記単位領域に付与される画質向上液の量を制御する制御手段を備えることを特徴とするインクジェット記録装置である。
【手続補正２】
【補正対象書類名】明細書
【補正対象項目名】００１１
【補正方法】変更
【補正の内容】
【００１１】
また、本発明の第２の形態は、色材を含有する複数種の有色インクと、画像の光沢度と写像性の少なくとも一方を変化させる画質向上液とを吐出する記録ヘッドを用いて、互いに色の異なる複数種の有色インクを吐出し、前記記録ヘッドは、記録媒体の単位領域を複数回走査して、有色インクで記録媒体に画像を形成すると共に画質向上液を付与し、単位領域における記録に使用される有色インクの種類の数に従って、複数の走査それぞれにおいて、単位領域に付与される画質向上液の量を制御ユニットで制御することを特徴とするインクジェット記録方法である。
【手続補正３】
【補正対象書類名】特許請求の範囲
【補正対象項目名】全文
【補正方法】変更
【補正の内容】
【特許請求の範囲】
【請求項１】
色材を含有し互いに色が異なる複数種類の有色インクと、前記有色インクによって記録媒体に記録された画像の光沢度と写像性の少なくとも一方を変化させる画質向上液とを吐出する記録ヘッドを備え、前記記録ヘッドは、記録媒体の単位領域に対して複数回走査して、前記記録媒体に画像の記録を行い、前記画像に前記画質向上液を付与するインクジェット記録装置であって、
前記単位領域における記録に使用される有色インクの種類の数に従って複数回の走査それぞれにおいて前記単位領域に付与される画質向上液の量を制御する制御手段を備えることを特徴とするインクジェット記録装置。
【請求項２】
前記制御手段は、前記記録ヘッドから前記単位領域に前記画質向上液を吐出させるための記録データを、前記複数回の走査それぞれに対し、前記単位領域における複数のエリア中の記録許容エリアの比率を決定するマスクを用いて、前記複数回の走査それぞれに対応する記録データに分割することにより、前記単位領域に付与される画質向上液の量を制御することを特徴とする請求項１に記載のインクジェット記録装置。
【請求項３】
前記マスクとして、第１のマスクと、複数回の走査の中の後半の走査に対して記録許容エリアの比率が第１のマスクの前記比率よりも高い第２のマスクと、を格納するメモリと、
前記有色インクの総量と前記インクの種類の数とに従って、前記第１のマスクと前記第２のマスクのいずれか一方を選択する選択手段と、をさらに備え、
前記インクの種類の数が第１の数であるとき、前記選択手段は、前記単位領域に付与される有色インクの総量が所定量未満である場合には前記第１のマスクを選択し、前記単位領域に付与される有色インクの総量が所定量以上である場合には前記第２のマスクを選択することを特徴とする請求項２に記載のインクジェット記録装置。
【請求項４】
前記第２のマスクは、前記有色インクで画像を完成させた後に、形成された画像の上に画質向上材を吐出するために行われる走査に対して、前記記録データを生成する際に使用されるマスクであることを特徴とする請求項３に記載のインクジェット記録装置。
【請求項５】
前記第１のマスクは、前記画質向上液を吐出するために、前記有色インクで画像を完成させる走査に対する前記記録データを発生させる際に使用され、
前記第２のマスクは、透明な画質向上液を吐出するために、前記画像が有色インクで完成された後に実行される走査に対する前記記録データを発生させる際に使用されることを特徴とする請求項３に記載のインクジェット記録装置。
【請求項６】
前記マスクとして、第１のマスクと、複数回の走査の中の後半の走査に対しての前記記録許容エリアの比率が第１のマスクの前記比率よりも高い第２のマスクと、を格納するメモリと、
記録データを分割するために制御手段によって使用される前記第１のマスクまたは第２のマスクの一方を、インクの種類の数に従って選択する選択手段と、をさらに備え、
前記有色インクの総量が所定量であるとき、選択手段は、インクの種類の数が第１の数である場合には前記第１のマスクを選択し、前記インクの種類の数が前記第１の数より大きい第２の数である場合には第２のマスクを選択することを特徴とする請求項２に記載のインクジェット記録装置。
【請求項７】
前記マスクとして、第１のマスクと、複数回の走査の中の最後の走査に対しての前記記録許容エリアの比率が第１のマスクの前記比率よりも高い第２のマスクと、を格納するメモリと、  記録データを分割するために制御手段によって使用される前記第１のマスクまたは第２のマスクの一方を、有色インクの総量とインクの種類の数に従って選択する選択手段と、をさらに備え、
前記有色インクの総量が所定量であるとき、選択手段は、インクの種類の数が第１の数である場合には前記第１のマスクを選択し、前記インクの種類の数が前記第１の数より大きい前記第２の数である場合には第２のマスクを選択することを特徴とする請求項２に記載のインクジェット記録装置。
【請求項８】
色材を含有する複数種の有色インクと、画像の光沢度と写像性の少なくとも一方を変化させる画質向上液とを吐出する記録ヘッドを用いて、互いに色の異なる複数種の有色インクを吐出し、前記記録ヘッドは、記録媒体の単位領域を複数回走査して、有色インクで記録媒体に画像を形成し、前記画像に画質向上液を付与するインクジェット記録方法であって、
単位領域における記録に使用される有色インクの種類の数に従って、複数の走査それぞれにおいて、単位領域に付与される画質向上液の量を制御ユニットで制御することを特徴とするインクジェット記録方法。
【請求項９】
前記記録ヘッドから前記単位領域に前記画質向上液を吐出させるための記録データを、前記複数回の走査それぞれに対し、前記単位領域における複数のエリア中の記録許容エリアの比率を決定するマスクを用いて、前記複数回の走査それぞれに対応する記録データに分割することにより、前記単位領域に付与される画質向上液の量を制御することを特徴とする請求項８に記載のインクジェット記録方法。
【請求項１０】
前記マスクは第１のマスクと、複数回の走査の後半に対する前記記録許容エリアの比率が、第１のマスクの前記比率より高い第２のマスクと、を含み、
前記有色インクの総量と前記インクの種類の数とに従って、前記第１のマスクと前記第２のマスクのいずれか一方を選択し、
前記インクの種類の数が第１の数であるとき、前記単位領域に付与される有色インクの総量が所定量未満である場合には前記第１のマスクを選択し、前記単位領域に付与される有色インクの総量が所定量以上である場合には前記第２のマスクを選択することを特徴とする請求項９に記載のインクジェット記録方法。
【請求項１１】
前記第２のマスクは、前記有色インクで画像を完成させた後に、形成された画像の上に画質向上材を吐出するために行われる走査に対して、前記記録データを生成する際に使用されるマスクであることを特徴とする請求項１０に記載のインクジェット記録方法。
【請求項１２】
前記第１のマスクは、前記画質向上液を吐出するために、前記有色インクで画像を完成させる走査に対する前記記録データを発生させる際に使用され、
前記第２のマスクは、透明な画質向上液を吐出するために、前記画像が有色インクで完成された後に実行される走査に対する前記記録データを発生させる際に使用されることを特徴とする請求項１０に記載のインクジェット記録方法。
【請求項１３】
前記マスクは第１のマスクと、複数回の走査の中の後半に対して前記記録許容エリアの比率が第１のマスクの前記比率より高い第２のマスクと、を含み、
記録データを分割するために使用される前記第１のマスクまたは第２のマスクの一方を、インクの種類の数に従って選択し、
前記有色インクの総量が所定量であるとき、インクの種類の数が第１の数である場合には前記第１のマスクを選択し、前記インクの種類の数が前記第１の数より大きい第２の数である場合には第２のマスクを選択することを特徴とする請求項９に記載のインクジェット記録方法。
【請求項１４】
前記マスクは第１のマスクと、複数回の走査の中の最後の走査に対して前記記録許容エリアの比率が第１のマスクの前記比率よりも高い第２のマスクと、を含み、
記録データを分割するために使用される前記第１のマスクまたは第２のマスクの一方を、有色インクの総量とインクの種類の数に従って選択し、
前記有色インクの総量が所定量であるとき、選択手段は、インクの種類の数が第１の数である場合には前記第１のマスクを選択し、前記インクの種類の数が前記第１の数より大きい前記第２の数である場合には第２のマスクを選択することを特徴とする請求項９に記載のインクジェット記録方法。